(57)【要約】【課題】電動送風機の実質的な負荷状況を考慮して、従来より現実的な水準の安定性を確保しつつ、掃除の利便性を改善できる電気掃除機を提供する。【解決手段】電気掃除機１は、負圧を生じる電動送風機８と、電動送風機８に流れる電流を検知する電流検知部５８と、電動送風機８の電源の電圧を検知する電源電圧検知部５９と、電源電圧検知部５９が検知する電圧から定まる、電動送風機８に流れる電流の適正範囲と電流検知部５８の検知結果とを比較して、電流検知部５８の検知結果が適正範囲を外れる場合には、電動送風機８の入力を低減、または遮断する本体制御部９と、を備えている。【選択図】  図３
2020137615.tif 000002
【特許請求の範囲】
【請求項１】
負圧を生じる電動送風機と、
前記電動送風機に流れる電流を検知する電流検知部と、
前記電動送風機の電源の電圧を検知する電源電圧検知部と、
前記電源電圧検知部が検知する前記電圧から定まる、前記電流の適正範囲と前記電流検知部の検知結果とを比較して、前記検知結果が前記適正範囲を外れる場合には、前記電動送風機の入力を低減、または遮断する制御部と、を備える電気掃除機。
【請求項２】
前記制御部は、前記検知結果が前記適正範囲を外れる場合には、それ以降の電動送風機の再始動の回数を制限する請求項１に記載の電気掃除機。
【請求項３】
前記制御部は、前記検知結果が前記適正範囲を下回る場合には、前記電動送風機への入力を遮断する請求項１または２に記載の電気掃除機。
【発明の詳細な説明】
【技術分野】
【０００１】
本発明に係る実施形態は電気掃除機に関する。
【背景技術】
【０００２】
電動送風機に流れる電流を監視し、異常電流を検知した際には電動送風機にヒューズを溶断させる電流値の電力を供給する電気掃除機が知られている。
【先行技術文献】
【特許文献】
【０００３】
【特許文献１】特開平９−２０６２５５号公報
【発明の概要】
【発明が解決しようとする課題】
【０００４】
従来の電気掃除機は、電動送風機に流れる異常電流を検知した場合、ヒューズを溶断させて電動送風機を停止させ、また、その後の電動送風機の再始動を阻止するため、電動送風機の異常の程度によらず安全性を確保できる一方で、仮に異常の程度が軽微な場合であっても掃除を継続できない厳しい判断を行っている。
【０００５】
しかし、電動送風機に異常電流が流れる具体的な状況、例えば電源の電圧に対して正常な電動送風機に流れる電流の適正な範囲を鑑みれば、より現実的な水準の安全性を確保できる。
【０００６】
そこで、本発明は、電動送風機の実質的な負荷状況を考慮して、従来より現実的な水準の安定性を確保しつつ、掃除の利便性を改善できる電気掃除機を提供することを目的とする。
【課題を解決するための手段】
【０００７】
前記の課題を解決するため本発明の実施形態に係る電気掃除機は、負圧を生じる電動送風機と、前記電動送風機に流れる電流を検知する電流検知部と、前記電動送風機の電源の電圧を検知する電源電圧検知部と、前記電源電圧検知部が検知する前記電圧から定まる、前記電流の適正範囲と前記電流検知部の検知結果とを比較して、前記検知結果が前記適正範囲を外れる場合には、前記電動送風機の入力を低減、または遮断する制御部と、を備えている。
【図面の簡単な説明】
【０００８】
【図１】本発明の実施形態に係る電気掃除機の外観を示す斜視図。
【図２】本発明の実施形態に係る電気掃除機の電動送風機を部分的に切り欠いて示す図。
【図３】本発明の実施形態に係る電気掃除機を示すブロック図。
【図４】本発明の実施形態に係る電気掃除機の入力抑制処理を示すフローチャート。
【図５】本発明の実施形態に係る電気掃除機において、電動送風機に流れる電流と風量との関係を示す図。
【図６】本発明の実施形態に係る電気掃除機の再始動制限処理を示すフローチャート。
【発明を実施するための形態】
【０００９】
本発明に係る電気掃除機の実施形態について、図１から図６を参照して説明する。なお、複数の図面中、同一または相当する構成には同一の符号が付されている。
【００１０】
図１は、本発明の実施形態に係る電気掃除機の外観を示す斜視図である。
【００１１】
図１に示すように、本実施形態に係る電気掃除機１は、いわゆるキャニスタ型である。電気掃除機１は、被掃除面を走行可能な掃除機本体２と、掃除機本体２に着脱自在な管部３と、を備えている。掃除機本体２と管部３とは、流体的に接続されている。
【００１２】
掃除機本体２は、本体ケース５と、本体ケース５の左右それぞれの側部に設けられる一対の車輪６と、本体ケース５の前半部に配置される着脱自在な塵埃分離集塵部７と、本体ケース５の後半部に収納される電動送風機８と、主に電動送風機８を制御する本体制御部９と、電動送風機８へ電力を導く電源コード１１と、を備えている。
【００１３】
掃除機本体２は、電源コード１１を経て供給される電力で電動送風機８を駆動させる。また、掃除機本体２は、電動送風機８の駆動によって発生する負圧を管部３に作用させている。電気掃除機１は、管部３を通じて被掃除面から塵埃を含んだ空気（以下、「含塵空気」と呼ぶ。）を吸い込み、含塵空気から塵埃を分離し、分離後の塵埃を捕集し、蓄積するとともに塵埃を分離した後の清浄な空気を排気する。
【００１４】
本体ケース５の正面部分には、本体接続口１２が設けられている。本体接続口１２は、掃除機本体２の流体的な入口であり、管部３を着脱自在に接続する継手構造を有している。本体接続口１２は、管部３と塵埃分離集塵部７とを流体的に接続している。
【００１５】
車輪６は、大径の走行輪であり、掃除機本体２を支えている。
【００１６】
塵埃分離集塵部７は、掃除機本体２に流れ込む含塵空気から塵埃を分離し、捕集し、蓄積する一方で、塵埃が除去された清浄な空気を電動送風機８へ送る。塵埃分離集塵部７は、遠心分離方式であっても良いし、濾過分離方式であっても良い。
【００１７】
電動送風機８は、塵埃分離集塵部７から空気を吸い込んで負圧（吸込負圧）を発生させる。
【００１８】
本体制御部９は、マイクロプロセッサ（図示省略）、およびマイクロプロセッサが実行する各種演算プログラム、パラメータなどを記憶する記憶装置（図示省略）を備えている。記憶装置には、予め設定される複数の運転モードが記憶されている。予め設定される複数の運転モードは、電動送風機８の運転出力の大小に関連するものであって、管部３への使用者の操作に対応している。それぞれの運転モードには、相互に異なる入力値（電動送風機８の入力値）が設定されている。本体制御部９は、管部３で受け付ける入力に応じて、操作に対応する任意の運転モードを予め設定される複数の運転モードから択一的に選択して記憶部から読み出し、読み出した運転モードにしたがって電動送風機８を制御する。
【００１９】
電源コード１１は、配線用差込接続器（図示省略、所謂コンセント）から掃除機本体２へ電力を供給する。電源コード１１の自由端部には、差込プラグ１４が設けられている。
【００２０】
管部３は、掃除機本体２から作用する負圧によって、被掃除面から含塵空気を吸い込み掃除機本体２へ案内する。管部３は、掃除機本体２に着脱自在に接続される継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱自在に接続される延長管２５と、延長管２５に着脱自在に接続される吸込口体２６と、を備えている。
【００２１】
接続管１９は、本体接続口１２へ着脱自在に接続される継手であり、本体接続口１２を通じて塵埃分離集塵部７に流体的に接続されている。
【００２２】
集塵ホース２１は、長尺で可撓な略円筒形状のホースである。集塵ホース２１の一方の端部（ここでは、後方の端部）は、接続管１９に流体的に接続されている。集塵ホース２１は、接続管１９を通じて塵埃分離集塵部７に流体的に接続されている。
【００２３】
手元操作管２２は、集塵ホース２１と延長管２５とを中継している。手元操作管２２の一方の端部（ここでは、後方の端部）は、集塵ホース２１の他方の端部（ここでは、前方の端部）に流体的に接続されている。手元操作管２２は、集塵ホース２１および接続管１９を通じて塵埃分離集塵部７に流体的に接続されている。
【００２４】
把持部２３は、電気掃除機１を操作するために使用者が手で把持する部分である。把持部２３は、使用者が手で容易に把持できる適宜の形状で手元操作管２２から突出している。
【００２５】
操作部２４は、それぞれの運転モードに対応付けられるスイッチを備えている。具体的には、操作部２４は、電動送風機８の運転停止操作に対応付けられる停止スイッチ２４ａと、電動送風機８の運転開始操作に対応付けられる起動スイッチ２４ｂと、吸込口体２６への電源供給に対応付けられるブラシスイッチ２４ｃと、を備えている。停止スイッチ２４ａおよび起動スイッチ２４ｂは、本体制御部９に電気的に接続されている。電気掃除機１の使用者は、操作部２４を操作して電動送風機８の運転モードを択一的に選択できる。起動スイッチ２４ｂは、電動送風機８の運転中に、運転モードの選択スイッチとしても機能する。この場合、本体制御部９は、起動スイッチ２４ｂから操作信号を受け取る度に運転モードを強→中→弱→強→中→弱→………の順に切り換える。なお、操作部２４は、起動スイッチ２４ｂに代えて、強運転スイッチ（図示省略）、中運転スイッチ（図示省略）、および弱運転スイッチ（図示省略）を個別に備えていても良い。
【００２６】
複数の筒状体を重ね合わせたテレスコピック構造の延長管２５は、伸縮可能な細長略円筒状の管である。延長管２５の一方の端部（ここでは、後方の端部）には、手元操作管２２の他方の端部（ここでは、前方の端部）に着脱自在な継手構造が設けられている。延長管２５は、手元操作管２２、集塵ホース２１および接続管１９を通じて塵埃分離集塵部７に流体的に接続されている。
【００２７】
吸込口体２６は、木床やカーペットなどの被掃除面上を走行自在または滑走自在であり、走行状態または滑走状態において被掃除面に対向する底面に吸込口２８を有する。また、吸込口体２６は、吸込口２８に配置される回転自在な回転清掃体２９と、回転清掃体２９を駆動させる電動機３１と、を備えている。吸込口体２６の一方の端部（ここでは、後方の端部）には、延長管２５の他方の端部（ここでは、前方の端部）に着脱自在な継手構造が設けられている。吸込口体２６は、延長管２５、手元操作管２２、集塵ホース２１および接続管１９を通じて塵埃分離集塵部７に流体的に接続されている。つまり、吸込口体２６、延長管２５、手元操作管２２、集塵ホース２１、接続管１９、および塵埃分離集塵部７は、電動送風機８から吸込口２８へ至る吸込風路である。電動機３１は、ブラシスイッチ２４ｃから操作信号を受け取る度に運転開始と停止とを交互に繰り返す。
【００２８】
電気掃除機１は、起動スイッチ２４ｂが操作されると電動送風機８を始動させる。例えば、電気掃除機１は、電動送風機８が停止している状態で起動スイッチ２４ｂが操作されると、先ず電動送風機８を強運転モードで運転し、再び起動スイッチ２４ｂが操作されると電動送風機８を中運転モードで運転し、三度、起動スイッチ２４ｂが操作されると電動送風機８を弱運転モードで運転し、以下同様に繰り返す。強運転モード、中運転モードおよび弱運転モードは、予め設定される複数の運転モードであり、強運転モード、中運転モード、弱運転モードの順に電動送風機８に対する入力値が小さい。始動した電動送風機８は、塵埃分離集塵部７から空気を排気してその内部を負圧にする。
【００２９】
塵埃分離集塵部７内の負圧は、本体接続口１２、接続管１９、集塵ホース２１、手元操作管２２、延長管２５、および吸込口体２６を順次に通じて吸込口２８に作用する。電気掃除機１は、吸込口２８に作用する負圧によって、被掃除面の塵埃を空気とともに吸い込んで掃除する。塵埃分離集塵部７は、電気掃除機１に吸い込まれた含塵空気から塵埃を分離し、蓄積する一方で、含塵空気から分離した空気を電動送風機８へ送る。電動送風機８は、塵埃分離集塵部７から吸い込んだ空気を掃除機本体２外へ排気する。
【００３０】
図２は、本発明の実施形態に係る電気掃除機の電動送風機を部分的に切り欠いて示す図である。
【００３１】
図２に示すように、本実施形態に係る電気掃除機１の電動送風機８は、吸気口３５を有する遠心ファン部３６と、排気口３７を有するモータ部３８と、を備えている。
【００３２】
モータ部３８は、整流子電動機である。モータ部３８は、排気口３７を有するモータハウジング３９と、モータハウジング３９の内周面３９ａに設けられる固定子４１と、モータハウジング３９内に回転自在に支持される回転子４２と、モータハウジング３９に設けられて回転子４２に電気的に接続される一対のブラシ機構４３と、を備えている。
【００３３】
固定子４１は、回転子４２を環状に囲んでいる。
【００３４】
回転子４２は、固定子４１の内側に配置されている。回転子４２は、回転中心となるロータ軸４５と、ロータ軸４５に設けられる回転子鉄心４６と、回転子鉄心４６に巻き付けられるフィールド巻線４７と、ロータ軸４５に設けられてフィールド巻線４７に電気的に接続される整流子４８と、を備えている。
【００３５】
ブラシ機構４３は、モータハウジング３９のブラシホルダ固定部４９を貫いて固定されるブラシホルダ５１と、ブラシホルダ５１内に収容される摺動自在なブラシ５２と、ブラシ５２を整流子４８へ押さえ付けるコイルバネ５３と、を備えている。ブラシ５２は、カーボンブラシである。
【００３６】
図３は、本発明の実施形態に係る電気掃除機を示すブロック図である。
【００３７】
図３に示すように、本実施形態に係る電気掃除機１は、差込プラグ１４を介して商用交流電源Ｅに電気的に接続される本体制御回路５５を備えている。
【００３８】
本体制御回路５５は、電動送風機８の運転を制御する。本体制御回路５５は、商用交流電源Ｅへ直列に接続される電動送風機８と、商用交流電源Ｅと電動送風機８とを接続する電路を開閉するスイッチング素子５６と、商用交流電源Ｅを変換して本体制御部９へ動作電力を供給する本体電源部５７と、電動送風機８に流れる電流を検知する電流検知部５８と、電動送風機８の電源の電圧を検知する電源電圧検知部５９と、電動送風機８の運転を制御する本体制御部９と、を備えている。
【００３９】
スイッチング素子５６は、双方向サイリスタや逆阻止３端子サイリスタなどの素子であって、本体制御部９に接続されるゲートを備えている。スイッチング素子５６は、ゲート電流の変化に応じて電動送風機８の入力を変える。
【００４０】
本体電源部５７は、本体制御部９の制御電源を発生させる電源回路である。
【００４１】
電流検知部５８は、例えばカレントトランスやシャント抵抗である。電流検知部５８は検知した電流値を電圧値に変換して本体制御部９へ出力する。なお、電流検知部５８が検知する電流値は、ゴミ詰まりなどによって電動送風機８の吸込風量が小さくなると低下する傾向にあり、ゴミ詰まりの解消などによって電動送風機８の吸込風量が大きくなると増加する傾向にある。
【００４２】
電源電圧検知部５９は、電動送風機８の電源の電圧、本実施形態においては商用交流電源Ｅの電圧を検知して本体制御部９へ出力する。なお、商用交流電源Ｅの電圧は、必ずしも一定しておらず、例えば電気掃除機１以外の装置に電源が供給されることによって変動する。
【００４３】
本体制御部９は、マイクロコンピュータを含み、中央処理部（図示省略）、記憶部６１、Ｉ／Ｏ部（図示省略）およびタイマ（図示省略）を備えている。記憶部６１は、中央処理部が実行する制御プログラムや、制御プログラムの実行に必要な定数などのデータを予め記憶する。このデータは、予め設定された各運転モードに対応する入力値を示す定数を含んでいる。また、記憶部６１は、中央処理部の演算データなどを一時記憶しておくデータ記憶領域および作業領域である。
【００４４】
また、本体制御部９は、操作部２４が出力する操作信号と、ゼロクロス検出器（図示省略）が検出する商用交流電源Ｅのゼロクロスタイミングと、を周期的に読み取り、選択された運転モードにしたがってスイッチング素子５６のスイッチング制御（位相制御）を行い電動送風機８の入力を制御する。
【００４５】
さらに、本体制御部９は、例えば、弱、中および強からなる３つの運転モードに応じて電動送風機８の入力を制御する。本体制御部９は、起動スイッチ２４ｂから操作信号を受け取る都度、運転モードを順次に切り換えてスイッチング素子５６のスイッチング制御を行う。
【００４６】
さらにまた、本体制御部９は、電源電圧検知部５９が検知する電源（ここでは商用交流電源Ｅ）の電圧から定まる、電動送風機８に流れる電流の適正範囲Ｉｒと電流検知部５８の検知結果、つまり電動送風機８に流れる電流の実測値Ｉａｍとを比較して、検知結果（実測値Ｉａｍ）が適正範囲Ｉｒを外れる場合には、電動送風機８の入力を低減、または遮断する。以下、本体制御部９によるこの処理を入力抑制処理と呼ぶ。
【００４７】
本体制御部９による入力抑制処理について詳細に説明する。
【００４８】
図４は、本発明の実施形態に係る電気掃除機の入力抑制処理を示すフローチャートである。
【００４９】
図５は、本発明の実施形態に係る電気掃除機において、電動送風機に流れる電流と風量との関係を示す図である。
【００５０】
なお、図５は、電動送風機８が強運転モードで運転されているものとして図示している。また、図５は、電動送風機８に流れる電流と風量との関係を直線で模式的に示している。
【００５１】
図４および図５に示すように、本実施形態に係る本体制御部９は、電源電圧検知部５９が検知する電源（ここでは商用交流電源Ｅ）の電圧から定まる、電動送風機８に流れる電流の適正範囲Ｉｒと電流検知部５８の検知結果、つまり電動送風機８に流れる電流の実測値Ｉａｍとを比較して、検知結果（実測値Ｉａｍ）が適正範囲Ｉｒを外れる場合には、電動送風機８の入力を低減、または遮断する。
【００５２】
また、本体制御部９は、検知結果（実測値Ｉａｍ）が適正範囲Ｉｒを外れる場合には、それ以降の電動送風機８の再始動の回数を制限する。
【００５３】
さらに、本体制御部９は、検知結果（実測値Ｉａｍ）が適正範囲Ｉｒを下回る場合には、電動送風機８への入力を遮断する。
【００５４】
ここで、図５に示すように、本実施形態に係る電気掃除機１の電動送風機８に流れる電流は、電動送風機８が健全な場合、ゴミ詰まりなどによって電動送風機８の風量が小さくなると低下する傾向がある（図５中に実線Ａで示す特性）。この電動送風機８の健全な状態における特性Ａは、電源電圧検知部５９で検知される電圧の変動によって変化し、例えば１００Ｖの商用交流電源Ｅにおいて±２０Ｖの変動、すなわち８０Ｖから１２０Ｖの間で変化すると仮定する場合、実線Ａ８０、実線Ａ１２０のように変化する。
【００５５】
また、電動送風機８に流れる電流は、例えば回転子４２のフィールド巻線４７にショートモードの故障が生じた場合には、大きく上ぶれ（上方へシフト）してしまう（実線Ｂ）。他方、電動送風機８に流れる電流は、例えば回転子４２のフィールド巻線４７に断線モードの故障が生じた場合には、大きく下ぶれ（下方へシフト）してしまう（実線Ｃ）。
【００５６】
そこで、仮に商用交流電源Ｅの変動を±２０Ｖと仮定した場合には、電動送風機８に流れる電流の適正範囲Ｉｒは、実線Ａ８０、実線Ａ１２０を含む一方で、それぞれの故障モードを検知できるよう実線Ｂ、および実線Ｃを除外する、適宜の範囲に定められる。なお、適正範囲Ｉｒは、予め実験的に取得した結果から設定されて、記憶部６１に記憶されている。また、適正範囲Ｉｒは、運転モード毎に異なっていても良い。例えば、電動送風機８に流れる電流の小さい弱運転モードに適用される適正範囲Ｉｒは、電動送風機８に流れる電流のより大きい運転モード、つまり中運転モードや強運転モードの適正範囲Ｉｒよりも狭くても良い（適正範囲Ｉｒの上限値がより低く、適正範囲Ｉｒの下限値がより高い）。
【００５７】
そして、具体的には、本体制御部９は、電動送風機８を運転している最中、電源電圧検知部５９から電動送風機８の電源の電圧を読み込み（ステップＳ３１）、その結果から電動送風機８に流れる電流の適正範囲Ｉｒを確定する（ステップＳ３２）。
【００５８】
次いで、本体制御部９は、電動送風機８を運転している最中、電流検知部５８の検知結果、つまり電動送風機８に流れる電流の実測値Ｉａｍを読み込み（ステップＳ３３）、電動送風機８に流れる電流の適正範囲Ｉｒと電動送風機８に流れる電流の実測値Ｉａｍとを比較する（ステップＳ３４）。
【００５９】
本体制御部９は、電動送風機８に流れる電流の実測値Ｉａｍが電動送風機８に流れる電流の適正範囲Ｉｒに含まれていれば（適正範囲Ｉｒの下限値≦実測値Ｉａｍ≦適正範囲Ｉｒの上限値、ステップＳ３４  Ｙｅｓ）、電動送風機８の運転をそのまま継続して（ステップＳ３５）ステップＳ３１へ戻る。
【００６０】
他方、本体制御部９は、電動送風機８に流れる電流の実測値Ｉａｍが電動送風機８に流れる電流の適正範囲Ｉｒを外れる場合には（実測値Ｉａｍ＜適正範囲Ｉｒの下限値、または実測値Ｉａｍ＞適正範囲Ｉｒの上限値、ステップＳ３４  Ｎｏ）、記憶部６１に適正範囲逸脱情報を記憶し（ステップＳ３６）、電動送風機８の入力を低減または遮断する（ステップＳ３７からステップＳ３９）。
【００６１】
具体的には、本体制御部９は、電動送風機８に流れる電流の実測値Ｉａｍが電動送風機８に流れる電流の適正範囲Ｉｒを下回る場合には（実測値Ｉａｍ＜適正範囲Ｉｒの下限値、ステップＳ３７  Ｙｅｓ）、電動送風機８の入力を遮断して停止させる（ステップＳ３８）。また、本体制御部９は、電動送風機８に流れる電流の実測値Ｉａｍが電動送風機８に流れる電流の適正範囲Ｉｒを上回る場合には（実測値Ｉａｍ＞適正範囲Ｉｒの上限値、ステップＳ３７  Ｎｏ）、電動送風機８の入力を低減して（ステップＳ３９）、電動送風機８の運転を継続する。
【００６２】
また、本体制御部９は、記憶部６１に適正範囲逸脱情報が記憶されている場合、予め定める所定回数、例えば５回のみ、電動送風機８の再始動を許可し、それ以降は電動送風機８の再始動を禁じる。これを再始動制限処理と呼ぶ。
【００６３】
図６は、本発明の実施形態に係る電気掃除機の再始動制限処理を示すフローチャートである。
【００６４】
図６に示すように、本実施形態に係る電気掃除機の本体制御部９は、電動送風機８を始動する際、先ず、記憶部６１に適正範囲逸脱情報が記憶されているか否かを判断する（ステップＳ４１）。本体制御部９は、記憶部６１に適正範囲逸脱情報が記憶されていなければ（ステップＳ４１  Ｎｏ）、電動送風機８を強運転モードの定格入力、例えば１０００ワットで電動送風機８を始動させる（ステップＳ４２）。
【００６５】
他方、本体制御部９は、記憶部６１に適正範囲逸脱情報が記憶されている場合（ステップＳ４１  Ｙｅｓ）には、再始動回数を計数する（ステップＳ４３）。本体制御部９は、再始動回数をカウントアップ、またはカウントダウンして、再始動回数が所定の回数に達した場合には（ステップＳ４４  Ｙｅｓ）、記憶部６１に再始動禁止情報を記憶させて（ステップＳ４５）処理を終了し、それ以後の電動送風機８の再始動を禁止する。
【００６６】
他方、本体制御部９は、再始動回数が所定の回数に達するまでは（ステップＳ４４  Ｎｏ）、電動送風機８の入力を低減させて、例えば１００ワットで電動送風機８を始動させる（ステップＳ４６。
【００６７】
なお、ステップＳ４６における電動送風機８の入力の低減は、一気に１００ワットへ低減させるだけでなく、電動送風機８を再始動する都度、段階的に、例えば、１０００ワットから７００ワット、４００ワット、１００ワットのように再始動毎に段階的に低減させるものであっても良い。
【００６８】
このように、本実施形態に係る電気掃除機１は、電源電圧検知部５９が検知する電源（ここでは商用交流電源Ｅ）の電圧から定まる、電動送風機８に流れる電流の適正範囲Ｉｒと電流検知部５８の検知結果、つまり電動送風機８に流れる電流の実測値Ｉａｍとを比較して、検知結果（実測値Ｉａｍ）が適正範囲Ｉｒを外れる場合には、電動送風機８の入力を低減、または遮断することによって、電動送風機８の発煙や発火を避けて、高い安全性を得ることができる。
【００６９】
また、本実施形態に係る電気掃除機１は、検知結果（実測値Ｉａｍ）が適正範囲Ｉｒを外れる場合には、それ以降の電動送風機８の再始動の回数を制限することによって、電気掃除機１が突然使えなくなってしまうことを避け、電動送風機８に異常があった場合の安全性を確保しながらも利便性を高めることができる。
【００７０】
さらに、本実施形態に係る電気掃除機１は、検知結果（実測値Ｉａｍ）が適正範囲Ｉｒを下回る場合には、電動送風機８への入力を遮断することによって、フィールド巻線４７に断線モードの故障が生じたことが予測される場合に、より安全面を重視できる。
【００７１】
したがって、本発明に係る電気掃除機１によれば、電動送風機８の実質的な負荷状況を考慮して、従来より現実的な水準の安定性を確保しつつ、掃除の利便性を改善できる。
【００７２】
なお、本実施形態に係る電気掃除機１は、キャニスタ型のものに限らず、アップライト型、スティック型、あるいはハンディ型などのものであってもよい。また、電気掃除機１は、商用交流電源Ｅの他に二次電池を備えたコードレス型のものであってもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は発明の範囲や要旨に含まれるとともに、特許請求の範囲に記載された発明とその均等の範囲に含まれる。
【符号の説明】
【００７４】
１…電気掃除機、２…掃除機本体、３…管部、５…本体ケース、６…車輪、７…塵埃分離集塵部、８…電動送風機、９…本体制御部、１１…電源コード、１２…本体接続口、１４…差込プラグ、１９…接続管、２１…集塵ホース、２２…手元操作管、２３…把持部、２４…操作部、２４ａ…停止スイッチ、２４ｂ…起動スイッチ、２４ｃ…ブラシスイッチ、２５…延長管、２６…吸込口体、２８…吸込口、２９…回転清掃体、３１…電動機、３５…吸気口、３６…遠心ファン部、３７…排気口、３８…モータ部、３９…モータハウジング、３９ａ…内周面、４１…固定子、４２…回転子、４３…ブラシ機構、４５…ロータ軸、４６…回転子鉄心、４７…フィールド巻線、４８…整流子、４９…ブラシホルダ固定部、５１…ブラシホルダ、５２…ブラシ、５３…コイルバネ、５５…本体制御回路、５６…スイッチング素子、５７…本体電源部、５８…電流検知部、５９…電源電圧検知部、６１…記憶部。
【図１】
2020137615.tif 000003
【図２】
2020137615.tif 000004
【図３】
2020137615.tif 000005
【図４】
2020137615.tif 000006
【図５】
2020137615.tif 000007
【図６】
2020137615.tif 000008